(57)【要約】      （修正有）【課題】モップ取付用掃除具に関し、柄部を伸縮できるばかりでなく、本体部の可撓性により、モップの柔軟性を損なうことがなく、モップの掃除面と被掃除面との密着性及び追従性を向上する。【解決手段】モップ取付用掃除具10は、モップ20を着脱可能に取り付け可能な取付部30、取付部30に伸縮可能に取り付けられた柄部40を備える。取付部30には、モップ20を取り付け可能で、かつ可撓性を有する本体部60、本体部60に形成され、短縮した柄部40の少なくとも一部を収容可能な収容部を備える。これに加え、取付部30は、板状で、中空な枠状に形成し、収容部は、中空な部分に位置させるようにしても良い。【選択図】図１
2013119010.tif 000002
【特許請求の範囲】
【請求項１】
モップを着脱可能に取り付け可能な取付部と、
前記取付部に伸縮可能に取り付けられた柄部とを備え、
前記取付部には、
前記モップを取り付け可能で、かつ可撓性を有する本体部と、
前記本体部に形成され、短縮した前記柄部の少なくとも一部を収容可能な収容部とを備えていることを特徴とするモップ取付用掃除具。
【請求項２】
前記取付部は、
板状で、中空な枠状に形成し、
前記収容部は、
前記中空な部分に位置させていることを特徴とする請求項１に記載のモップ取付用掃除具。
【請求項３】
前記柄部の外周には、
前記伸縮方向に延びるガイド溝を形成し、
前記収容部の前記中空な部分に臨む内縁部には、
前記ガイド溝にはまり込むガイドレールを形成していることを特徴とする請求項２に記載のモップ取付用掃除具。
【請求項４】
前記柄部と前記収容部との間には、
前記柄部の伸張位置において互いにはまり合う凹凸部の一方をそれぞれに形成していることを特徴とする請求項１〜３のいずれか１項に記載のモップ取付用掃除具。
【請求項５】
モップ取付用掃除具には、
前記モップを取り付けた前記取付部を収納可能であり、車載用のカップホルダーに挿入可能なボトル形状を有するケース体を備えていることを特徴とする請求項１〜４のいずれか１項に記載のモップ取付用掃除具。
【発明の詳細な説明】
【技術分野】
【０００１】
この発明は、モップ取付用掃除具に関し、柄部を伸縮できるばかりでなく、本体部の可撓性により、モップの柔軟性を損なうことがなく、モップの掃除面と被掃除面との密着性及び追従性を向上することができるようにしたものである。
【背景技術】
【０００２】
従来、柄棒を伸縮することができるようにしたカバー付き掃除具が知られている（特許文献１の段落番号「０００８」及び図１〜３参照）。
なお、従来、毛ばたき本体を収納可能なバット型カバーケースも知られている（特許文献２の段落番号「０００６」及び「０００７」、図１参照）。
【先行技術文献】
【特許文献】
【０００３】
【特許文献１】特開平8-322778号公報
【特許文献２】実用新案登録第3030786号公報
【発明の概要】
【発明が解決しようとする課題】
【０００４】
しかし、上記した従来のカバー付き掃除具は、粘着ローラ用のものであり、モップに使用すると、当該モップの柔軟性を損なうおそれがあるという問題点があった。
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
【０００５】
すなわち、請求項１に記載の発明は、柄部を伸縮できるばかりでなく、本体部の可撓性により、モップの柔軟性を損なうことがなく、モップの掃除面と被掃除面との密着性及び追従性を向上することができるようにしたものである。
（請求項２）
請求項２に記載の発明は、上記した請求項１に記載の発明の目的に加え、次の点を目的とする。
【０００６】
すなわち、請求項２に記載の発明は、枠状の取付部の中空な部分を、収容部として利用することがことができるようにしたものである。
（請求項３）
請求項３に記載の発明は、上記した請求項２に記載の発明の目的に加え、次の点を目的とする。
【０００７】
すなわち、請求項３に記載の発明は、柄部の伸縮時に、そのガイド溝が収容部のガイドレールに沿って移動することで、柄部の伸縮時をスムーズに行え、ガタ付きを防止することができるばかりでなく、枠状の取付部の中空な部分に臨む内縁部を、ガイドレールとして利用することがことができるようにしたものである。
（請求項４）
請求項４に記載の発明は、上記した請求項１〜３のいずれか１項に記載の発明の目的に加え、次の点を目的とする。
【０００８】
すなわち、請求項４に記載の発明は、柄部の伸張位置において、凹凸部が互いにはまり合うことで、柄部が不用意に短縮するのを未然に防止することがことができるようにしたものである。
（請求項５）
請求項５に記載の発明は、上記した請求項１〜４のいずれか１項に記載の発明の目的に加え、次の点を目的とする。
【０００９】
すなわち、請求項５に記載の発明は、モップをケース体に収納した状態で、当該ケース体を車載用のカップホルダーに挿入し、車室内の外観を損なうことなく、モップを見栄え良く携行や保管することができるようにしたものである。
【課題を解決するための手段】
【００１０】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１１】
第１に、モップ取付用掃除具(10)は、例えば図３〜８に示すように、次の構成を備える。
（１）取付部(30)
取付部(30)は、例えば図３に示すように、モップ(20)を着脱可能に取り付け可能なものである。
【００１２】
（２）柄部(40)
柄部(40)は、例えば図７及び図８に示すように、取付部(30)に伸縮可能に取り付けられたものである。
第２に、取付部(30)には、例えば図３〜６に示すように、次の構成を備える。
（３）本体部(60)
本体部(60)は、例えば図３に示すように、モップ(20)を取り付け可能で、かつ可撓性を有するものである。
【００１３】
（４）収容部(61)
収容部(61)は、例えば図３〜８に示すように、本体部(60)に形成され、例えば図７に示すように、短縮した柄部(40)の少なくとも一部を収容可能なものである。
（請求項２）
請求項２に記載の発明は、上記した請求項１に記載の発明の特徴点に加え、次の点を特徴とする。
【００１４】
第１に、取付部(30)は、例えば図３〜６に示すように、板状で、中空な枠状に形成する。
第２に、収容部(61)は、例えば図３〜６に示すように、中空な部分に位置させている。
（請求項３）
請求項３に記載の発明は、上記した請求項２に記載の発明の特徴点に加え、次の点を特徴とする。
【００１５】
第１に、柄部(40)の外周には、例えば図５〜図８に示すように、伸縮方向に延びるガイド溝(91)を形成する。
第２に、収容部(61)の中空な部分に臨む内縁部には、例えば図３〜５、図７及び図８に示すように、ガイド溝(91)にはまり込むガイドレール(63)を形成している。
（請求項４）
請求項４に記載の発明は、上記した請求項１〜３のいずれか１項に記載の発明の特徴点に加え、次の点を特徴とする。
【００１６】
すなわち、柄部(40)と収容部(61)との間には、例えば図３〜９に示すように、柄部(40)の伸張位置（例えば図３及び図８参照）において互いにはまり合う凹凸部(71,92)の一方をそれぞれに形成している。
（請求項５）
請求項５に記載の発明は、上記した請求項１〜４のいずれか１項に記載の発明の特徴点に加え、次の点を特徴とする。
【００１７】
すなわち、モップ取付用掃除具(10)には、例えば図１及び図２に示すように、モップ(20)を取り付けた取付部(30)を収納可能であり、車載用のカップホルダー（図示せず）に挿入可能なボトル形状を有するケース体(50)を備えている。
【発明の効果】
【００１８】
本発明は、以上のように構成されているので、以下に記載されるような効果を奏する。
（請求項１）
請求項１に記載の発明によれば、次のような効果を奏する。
すなわち、請求項１に記載の発明によれば、柄部を伸縮できるばかりでなく、本体部の可撓性により、モップの柔軟性を損なうことがなく、モップの掃除面と被掃除面との密着性及び追従性を向上することができる。
（請求項２）
請求項２に記載の発明によれば、上記した請求項１に記載の発明の効果に加え、次のような効果を奏する。
【００１９】
すなわち、請求項２に記載の発明によれば、枠状の取付部の中空な部分を、収容部として利用することがことができる。
（請求項３）
請求項３に記載の発明によれば、上記した請求項２に記載の発明の効果に加え、次のような効果を奏する。
【００２０】
すなわち、請求項３に記載の発明によれば、柄部の伸縮時に、そのガイド溝が収容部のガイドレールに沿って移動することで、柄部の伸縮時をスムーズに行え、ガタ付きを防止することができるばかりでなく、枠状の取付部の中空な部分に臨む内縁部を、ガイドレールとして利用することがことができる。
（請求項４）
請求項４に記載の発明によれば、上記した請求項１〜３のいずれか１項に記載の発明の効果に加え、次のような効果を奏する。
【００２１】
すなわち、請求項４に記載の発明によれば、柄部の伸張位置において、凹凸部が互いにはまり合うことで、柄部が不用意に短縮するのを未然に防止することがことができる。
（請求項５）
請求項５に記載の発明によれば、上記した請求項１〜４のいずれか１項に記載の発明の効果に加え、次のような効果を奏する。
【００２２】
すなわち、請求項５に記載の発明によれば、モップをケース体に収納した状態で、当該ケース体を車載用のカップホルダーに挿入し、車室内の外観を損なうことなく、モップを見栄え良く携行や保管することができる。
【図面の簡単な説明】
【００２３】
【図１】掃除具をケース体から取り外した状態で、一部を断面にした側面図である。
【図２】掃除具をケース体に収納した状態の一部を断面にした側面図である。
【図３】モップを外した状態の掃除具の側面図である。
【図４】掃除具の分解側面図である。
【図５】掃除具の分解斜視図である。
【図６】図４に対応し、掃除具の他の分解側面図である。
【図７】柄本体90を短縮した状態の掃除具の断面図である。
【図８】図７に対応し、柄本体90を伸張した状態の掃除具の断面図である。
【図９】凸部と凹部の説明図である。
【図１０】本発明の第２の実施の形態を示し、同図は柄部の側面図である。
【図１１】本発明の第３の実施の形態を示し、同図は柄部の側面図である。
【図１２】本発明の第４の実施の形態を示し、同図は柄部の側面図である。
【図１３】本発明の第５の実施の形態を示し、同図は取付部の分解斜視図である。
【図１４】本発明の第６の実施の形態を示し、同図は柄部の断面図である。
【図１５】本発明の第７の実施の形態を示し、同図は柄部の断面図である。
【発明を実施するための形態】
【００２４】
（掃除具10）
図中、10は、モップ取付用掃除具を示し、図示しないが、車載用のカップホルダーに挿入して携行や保管し、必要に応じて車室内の清掃用のモップとして使用することができるようにしたものである。
掃除具10は、図１〜６に示すように、大別すると、次のパーツを備える。
【００２５】
なお、次の（１）〜（４）については、後述する。
（１）モップ20
（２）取付部30
（３）柄部40
（４）ケース体50
なお、掃除具10のパーツは、上記した（１）〜（４）に限定されない。
（モップ20）
モップ20は、被掃除面（図示せず）を払拭するものであり、図１及び図３に示すように、後述する取付部30に取り付けられる。
【００２６】
モップ20は、図示しないが、大別すると、取付部30に被せる袋体と、その周囲に植設され、ひも状の払拭材とから構成されている。
袋体は、図１及び図３に示すように、一端部が開口し、他端部が塞がれた袋状に形成されている。袋体の開口には、ゴム等の弾性体が取り付けられ、当該開口の内径を収縮する方向に常に付勢された収縮口21を設けている。
（取付部30）
取付部30は、図３に示すように、モップ20を着脱可能に取り付け可能なものである。
【００２７】
取付部30には、図３〜６に示すように、次の各部を備える。
なお、次の（１）〜（３）については、後述する。
（１）本体部60
（２）柄保持部70
（３）ケース蓋80
なお、取付部30の各部は、上記した（１）〜（３）に限定されない。
（本体部60）
本体部60は、図３に示すように、モップ20を取り付け可能で、かつ可撓性を有するものである。
【００２８】
本体部60は、図３〜６に示すように、板状で、中空な枠状に形成されている。本体部60は、例えば図４において下側に位置する先端部が閉じたカタカナの略コ字形若しくは英大文字の略Ｕ字形の枠状に形成されている。
本体部60は、ある程度の柔軟性を有しており、後述する柄部40の軸方向と交差する方向、すなわち図６において左右方向に屈曲可能に構成されている。これに対し、図４において左右方向、すなわちねじれ方向に揺動しないように構成されている。
【００２９】
本体部60は、適度な弾性と剛性とを有する熱可塑性樹脂により一体成形されている。
本体部60には、図３〜５、図７及び図８に示すように、次の各部を備える。
なお、次の（１）〜（３）については、後述する。
（１）収容部61
（２）くびれ部62
（３）ガイドレール63
なお、本体部60の各部は、上記した（１）〜（３）に限定されない。
（収容部61）
収容部61は、図３〜５、図７及び図８に示すように、本体部60に形成され、図７に示すように、短縮した柄部40の少なくとも一部を収容可能なものである。
【００３０】
収容部61は、図３〜６に示すように、枠状の本体部60の中空な部分に位置させている。
（くびれ部62）
くびれ部62は、図３〜５に示すように、モップ20の袋体を本体部60に被せた状態で、当該袋体が本体部60から抜け落ちないようにするものである。くびれ部62は、図３において、本体部60の左右両側から内側に向かって細くくびれている。
【００３１】
本体部60を、モップ20の収縮口21を通して袋体の内部に向かって挿入すると、ゴムにより収縮する収縮口21が本体部60に押し開かれてゴムが伸張し、収縮口21の内径が拡開され、閉じた他端部に向かって進行する。くびれ部62が収縮口21に位置すると、ゴムが収縮し、収縮したゴムに引っ掛かって本体部60が袋体の内部から抜けなくなる。
（ガイドレール63）
ガイドレール63は、例えば図３〜５、図７及び図８に示すように、収容部61の中空な部分に臨む内縁部、例えば図４において左右に一対位置し、柄部40の後述する柄本体90のガイド溝91にはまり込むものである。
（柄保持部70）
柄保持部70は、図３〜８に示すように、柄部40の後述する柄本体90をスライド可能に保持するものであり、例えば図４において上側に位置する本体部60の基端部側に位置する。柄保持部70は、柄本体90を挿入可能な円筒形に形成されている。
【００３２】
柄保持部70は、本体部60と一体成形され、適度な弾性と剛性とを有する熱可塑性樹脂により成形されている。なお、柄保持部70を、本体部60と一体成形したが、これに限定されず、個別に成形し、連結するようにしても良い。
柄保持部70には、図３〜９に示すように、次の各部を備える。
なお、柄保持部70の各部は、次の（１）に限定されない。
【００３３】
（１）凹部71
凹部71は、図３〜９に示すように、図３及び図８に示すように、柄本体90を伸張した伸張位置において、柄部40の後述する柄本体90の凸部92とはまり合い、柄本体90を伸張位置に係止するためのものである。凹部71は、収容部61に臨む、柄保持部70の端部に位置させている。
【００３４】
凹部71は、図９に示すように、柄本体90の凸部92がはまり込む、凸部92の外径ａに等しい内径を有する係止部72と、係止部72と外部とをつなぎ、凸部92の外径ａより幅狭の内径ｂを有する幅狭部73とを備える。
（ケース蓋80）
ケース蓋80は、図１及び図２に示すように、柄保持部70の上端部に形成され、後述するケース体50の開口部51を閉じるためのものである。ケース蓋80は、図１において上側が細く、下側に向かって徐々に傘型に太くなった略漏斗状に形成されている。
【００３５】
ケース蓋80は、本体部60及び柄保持部70と一体成形され、適度な弾性と剛性とを有する熱可塑性樹脂により成形されている。なお、ケース蓋80を、本体部60及び柄保持部70と一体成形したが、これに限定されず、３者を個別に成形し、連結するようにしても良いし、本体部60と柄保持部70を一体成形し、ケース蓋80を単独で成形して連結したり、本体部60とケース蓋80を一体成形し、柄保持部70を単独で成形して連結したり、或いは本体部60を単独で成形し、柄保持部70とケース蓋80を一体成形して連結しても良い。
【００３６】
ケース蓋80には、図１〜８に示すように、次の各部を備える。
なお、ケース蓋80の各部は、次の（１）に限定されない。
（１）突縁部81
突縁部81は、図１〜６に示すように、ケース体50の後述する開口部51に形成された嵌合部52にはまり合うものであり、同図において下側の開口縁部に沿って環状に形成されている。
【００３７】
なお、突縁部81を環状に形成したが、これに限定されず、間欠的に形成しても良い。
（柄部40）
柄部40は、図７及び図８に示すように、取付部30に伸縮可能に取り付けられたものである。柄部40は、適度な弾性と剛性とを有する熱可塑性樹脂により一体成形されている。
柄部40には、図４〜８に示すように、大別すると、次の各部を備える。
【００３８】
なお、次の（１）及び（２）については、後述する。
（１）柄本体90
（２）キャップ部100
なお、柄部40の各部は、上記した（１）及び（２）に限定されない。
（柄本体90）
柄本体90は、図７及び図８に示すように、取付部30に伸縮可能に取り付けられたものである。柄本体90は、図４〜６に示すように、中空な円筒形の棒状に形成され、取付部30のケース蓋80を通して円筒形の柄保持部70の内部に挿入され、図７に示すように、短縮した状態で収容部61内に一部収納される。
【００３９】
柄本体90には、図４〜６に示すように、次の各部を備える。
なお、次の（１）〜（３）については、後述する。
（１）ガイド溝91
（２）凸部92
（３）スリット93
なお、柄本体90の各部は、上記した（１）〜（３）に限定されない。
（ガイド溝91）
ガイド溝91は、柄本体90の外周に凹状に形成され、直径方向に一対位置し、当該柄本体90の長手方向に沿って形成されている。一対のガイド溝91は、一対のガイドレール63にそれぞれスライド可能にはまり合うものであり、図７に示すように、短縮した状態で収容部61に臨むガイドレール63にはまり合うものである。
【００４０】
なお、柄本体90に、ガイド溝91を、取付部30にガイドレール63をそれぞれ形成したが、これらに限定されず、図示しないが、逆に柄本体90にガイドレールを、取付部30にこれにはまり合うガイド溝をそれぞれ形成しても良い。
（凸部92）
凸部92は、図３〜９に示すように、柄本体90の外周に凸状に形成され、図３及び図８に示すように、柄本体90を伸張した伸張位置において、柄保持部70の凹部71とはまり合い、柄本体90を伸張位置に係止するためのものである。
【００４１】
なお、柄本体90に、凸部92を、柄保持部70に凹部71をそれぞれ形成したが、これらに限定されず、図示しないが、逆に柄本体90に凹部を、柄保持部70にこれにはまり合う凸部をそれぞれ形成しても良い。
凸部92の一端部には、下り傾斜したテーパー面92aを形成している。テーパー面92aは、後述するスリット93と協同して、柄本体90を柄保持部70に挿入する際に、凸部92を撓み込み易くするためのものである。
（スリット93）
スリット93は、凸部92に隣接して形成され、柄本体90を柄保持部70に挿入する際に、凸部92を撓み込み易くするためのものである。スリット93は、柄本体90の端面から柄本体90の長手方向に延び、凸部92の左右両側に一対形成されている。
【００４２】
柄本体90を柄保持部70に挿入すると、柄本体90の凸部92が、柄保持部70の開口縁に当接する。ここで、柄本体90を強く挿入すると、凸部92のテーパー面92aが柄保持部70の開口縁に押され、スリット93を介して凸部92がたわみ込み、柄保持部70の中空内部に進行する。
さらに、柄本体90を深く挿入すると、凸部92は収容部61に臨む柄保持部70の開放端から外部に露出する。凸部92が外部に露出すると、樹脂の弾性復元力により、凸部92がパチンと節度感を伴って突出する。
（キャップ部100）
キャップ部100は、図３〜８に示すように、柄本体90の一端部、同図において上端部の外周より環状に張り出し、ペットボトル等のキャップの形状を模した形状に形成されている。キャップ部100の外径は、柄保持部70の内径より大きく設定されている。
【００４３】
キャップ部100は、図７及び図８に示すように、円筒形に形成され、その端面、すなわち同図において上端面が開放している。
キャップ部100には、図７及び図８に示すように、次のパーツを備える。
なお、キャップ部100のパーツは、次の（１）に限定されない。
（１）キャップ蓋101
キャップ蓋101は、図７及び図８に示すように、キャップ部100の開放面を塞ぐものである。キャップ蓋101は、柄部40とは別に成形され、キャップ部100の開放面に接着剤等により固定される。
（ケース体50）
ケース体50は、図１及び図２に示すように、モップ20を取り付けた取付部30の本体部60を収納可能であり、車載用のカップホルダー（図示せず）に挿入可能なボトル形状を有するものである。
【００４４】
ケース体50は、適度な弾性と剛性とを有する熱可塑性樹脂により一体成形されている。
ケース体50には、図１及び図２に示すように、次の各部を備える。
なお、ケース体50の各部は、次の（１）及び（２）に限定されない。
（１）開口部51
開口部51は、図１に示すように、ケース体50の上面に位置する。
【００４５】
（２）嵌合部52
嵌合部52は、図１及び図２に示すように、ケース蓋80の突縁部81にはまり合うものであり、突縁部81とは相補的な形状に形成され、開口部51の周縁部に沿って環状に位置する。
なお、嵌合部52を環状に形成したが、これに限定されず、間欠的に形成しても良い。また、ケース体50に、嵌合部52を、ケース蓋80に突縁部81をそれぞれ形成したが、これらに限定されず、図示しないが、逆にケース体50に突縁部を、ケース蓋80にこれとはまり合う嵌合部をそれぞれ形成しても良い。
（使用方法）
つぎに、上記した構成を備える掃除具10の使用方法について説明する。
【００４６】
まず、図２に示すように、ケース体50に収納された状態から、図２に示すように、キャップ部100を持って上方に引き出す。
つぎに、図３及び図８に示すように、ケース蓋80を保持した状態で、キャップ部100を持って柄本体90を引き出す。
柄本体90を引き出すと、図３及び図８に示すように、柄本体9が伸張し、その凸部92が柄保持部70の幅狭部73の凹部71と当接する。
【００４７】
ここで、柄本体90を強く引き出すと、凸部92が幅狭部73を押し開き、当該幅狭部73を通過可能となる。
さらに、柄本体90を引き出すと、図３及び図８に示すように、凸部92が幅狭部73が通過し、係止部72にはまり込む。
凸部92が係止部72にはまり込むと、幅狭部73がパチンと復元し、凸部92が係止部72から抜けなくなり、又、凸部92は節度感を伴って係止部72にはまり込む。
【００４８】
柄本体90が伸張した状態で、図示しないが、モップ20を使用して被掃除面を払拭することができる。
このとき、柄本体90の先端部が、本体部60の収容部61から待避していることから、本体部60が柔軟性を有し、モップ20の掃除面と被掃除面との密着性及び追従性を向上することができる。
【００４９】
なお、モップ20をケース体50から取り出してから、柄本体90を伸張したが、これに限定されず、ケース体50に収納された状態で、柄本体90を伸張させ、伸張させた状態で、モップ20をケース体50から取り出して使用しても良い。
一方、使用後、モップ20をケース体50に収納するには、図３に示すように、柄本体90が伸張した状態で、モップ20をケース体50の開口部51を通して挿入し、ケース蓋80をケース体50の開口部51に合わせてはめ込めば良い。
【００５０】
その後、キャップ部100を、図２に示すように、ケース体50に向かって押し込めば良い。
キャップ部100を押し込むと、柄本体90の先端部が、ケース体50内において、本体部60の収容部61に向かって進む。このとき、凸部92が係止部72から幅狭部73に向かって進み、凸部92が幅狭部73に当接する。
【００５１】
ここで、柄本体90を強く押し込むと、凸部92が幅狭部73を押し開き、当該幅狭部73を通過可能となる。
さらに、柄本体90を押し込むと、凸部92が幅狭部73を抜け出て、凸部92の係止状態が解除される。
なお、凸部92が幅狭部73を抜け出ると、幅狭部73がパチンと復元し、凸部92の係止状態が解除されたことを、節度感を伴って操作者に報知する。
【００５２】
その後、柄本体90を更に押し込むと、柄本体90の先端部が、本体部60の収容部61を進み、図２に示すように、柄本体90が短縮する。
モップ20をケース体50に収納した後、図示しないが、ケース体50を車載用のカップホルダーに挿入して携行や保管可能となる。
なお、モップ20をケース体50に収納してから、柄本体90を短縮したが、これに限定されず、柄本体90を短縮し、短縮させた状態で、モップ20をケース体50に収納しても良い。
【００５３】
また、モップ20は、図３に示すように、本体部60から取り外し、交換可能である。
（図１０に示す第２の実施の形態）
つぎに、図１０を用いて、本発明の第２の実施の形態について説明する。
本実施の形態の特徴は、図１０に示すように、柄部200のスリット212の形状を変形した点である。
【００５４】
すなわち、スリット212を、図１０に示すように、その両端部を袋状に閉じた、一文字に形成したものである。すなわち、先に図１〜９を用いて説明した第１の実施の形態においては、図５に示すように、スリット93の一端部を、柄本体90の端面に開放させていた。これに対し、本実施の形態においては、図１０に示すように、スリット212の両端部を袋状に閉じている。
【００５５】
スリット212は、図１０に示すように、柄本体210の凸部211を有する一端部に位置し、当該凸部211の左右両側に一対形成されている。
なお、図１０は、キャップ部220であり、柄本体210の凸部211の無い他端部に取り付けられている。
（図１１に示す第３の実施の形態）
図１１を用いて、本発明の第３の実施の形態について説明する。
【００５６】
本実施の形態の特徴は、図１１に示すように、柄部300のスリット312の形状を変形した点である。
すなわち、スリット312は、図１１に示すように、柄本体310の凸部311を有する一端部に位置し、当該凸部311の周囲に英大文字の略Ｕ字形に１本形成されている。
略Ｕ字形のスリット312で囲まれる内側に、図１１において下側がヒンジとして機能し、キャップ部320がある上側が自由端部となる舌片状の弾性片312を形成している。
（図１２に示す第４の実施の形態）
図１２を用いて、本発明の第４の実施の形態について説明する。
【００５７】
本実施の形態の特徴は、図１２に示すように、柄部400のキャップ部420を、柄本体410と別に成形した点である。
すなわち、キャップ部420は、図１２に示すように、柄本体410の開放端を塞ぐものであり、ペットボトルのキャップの形状を模した形状に形成され、その外径を柄本体410の開放端の内径より大きく、かつ柄保持部（図示せず）の内径より大きく設定している。
【００５８】
なお、本体部410には、凸部411及びスリット412を備えるが、これらの構造は、先に図１〜９を用いて説明した第１の実施の形態のものと同様であるので、説明を省略する。
キャップ部420には、図１２に示すように、次の各部を備える。
なお、キャップ部420の各部は、次の（１）に限定されない。
（１）キャップ軸421
キャップ軸421は、図１２に示すように、キャップ部420の端部から細くなって突出し、その外径を柄本体410の開放端の内径以下、例えばほぼ等しく設定している。
【００５９】
キャップ軸421は、柄本体410の開放端に挿入され、接着剤等により柄本体410の開放端に固定される。
（図１３に示す第５の実施の形態）
図１３を用いて、本発明の第５の実施の形態について説明する。
本実施の形態の特徴は、図１３に示すように、本体部510とケース蓋520を分離した点にある。
【００６０】
すなわち、取付部500は、図１３に示すように、大別すると、本体部510とケース蓋520から構成され、それぞれを一体成形している。
本体部510には、図１３に示すように、柄保持部530が一体成形されている。
なお、本体部510には、柄保持部530のほか、収容部511、くびれ部512及びガイドレール513を備えるが、これらの構造は、先に図１〜９を用いて説明した第１の実施の形態のものと同様であるので、説明を省略する。
（柄保持部530）
柄保持部530は、図１３に示すように、本体部510と一体成形され、次の各部を備える。
【００６１】
なお、柄保持部530の各部は、次の（１）〜（３）に限定されない。
（１）凹部531
凹部531の構造は、先に図１〜９を用いて説明した第１の実施の形態のものと同様であるので、説明を省略する。
（２）つば部532
つば部532は、図１３に示すように、柄保持部530の長手方向の途中に位置し、柄保持部530の外周から環状に張り出している。
【００６２】
（３）孔部533
孔部533は、図１３に示すように、つば部532を挟んで同図において上側に位置し、ケース蓋520の後述する突起523にはまり合うものであり、柄保持部530とケース蓋520とを連結状態にロックするためのものである。孔部533は、内外に貫通し、方形に形成されている。
（ケース蓋520）
ケース蓋520は、図１３に示すように、柄本体410及びキャップ部420とは別に成形され、図示しないが、ケース体の開口部を閉じるためのものである。ケース蓋520は、図１３において上側が細く、下側に向かって徐々に傘型に太くなった略漏斗状に形成されている。
【００６３】
ケース蓋520には、図１３に示すように、次の各部を備える。
なお、ケース蓋520の各部は、次の（１）及び（２）に限定されない。
（１）貫通孔521
貫通孔521は、図１３に示すように、円筒形に形成され、上下に貫通し、柄保持部530の上端部の外周に外嵌され、当該柄保持部530の中空内部に連通する。
【００６４】
（２）突起523
突起523は、図１３に示すように、貫通孔521の内周面から突出し、柄保持部530の孔部533にはまり合うものである。
なお、ケース蓋520に、突起523を、柄保持部530に孔部533をそれぞれ形成したが、これらに限定されず、図示しないが、逆にケース蓋520に孔部を、柄保持部530に突起523をそれぞれ形成しても良い。
（組立方法）
つぎに、組立方法に説明すると、図１３に示すように、ケース蓋520の貫通孔521の下側開口面から、柄保持部530の上端部を挿入する。
【００６５】
柄保持部530を挿入すると、その端部が貫通孔521中に突出する突起523と当接する。ここで、柄保持部530を強く挿入すると、突起523に押されて柄保持部530が変形し、突起523の位置を通過可能となる。さらに、柄保持部530を挿入すると、突起523が孔部533内にはまり込み、柄保持部530が復元し、突起523中から柄保持部530が抜けなくなる。このとき、貫通孔521の周囲の端面がつば部532と当接し、柄保持部530をそれ以上挿入できくなる。
【００６６】
なお、柄本体は、図示しないが、ケース蓋520の貫通孔521を通して、柄保持部530の中空内部に挿入する。
（図１４に示す第６の実施の形態）
図１４を用いて、本発明の第６の実施の形態について説明する。
本実施の形態の特徴は、先に図１〜９を用いて説明した第１の実施の形態のキャップ蓋101を省き、図１４に示すように、柄部600を一体成形した点にある。
【００６７】
本実施の形態は、図１４に示すように、柄本体610の内径と、キャップ部620の内径とを等しく形成することで、成形時にキャップ部620の内側から肉抜きを可能にしたものである。
なお、本体部610には、凸部611及びスリット612を備えるが、これらの構造は、先に図１〜９を用いて説明した第１の実施の形態のものと同様であるので、説明を省略する。
（図１５に示す第７の実施の形態）
図１５を用いて、本発明の第７の実施の形態について説明する。
【００６８】
本実施の形態の特徴は、先に図１〜９を用いて説明した第１の実施の形態のキャップ蓋101を省き、図１５に示すように、柄部700を一体成形した点にある。
本実施の形態は、図１５に示すように、キャップ部720の外周を断面ひれ状に形成することで、成形時にキャップ部720の外側から肉抜きを可能にしたものである。
なお、本体部710には、凸部711及びスリット712を備えるが、これらの構造は、先に図１〜９を用いて説明した第１の実施の形態のものと同様であるので、説明を省略する。
【符号の説明】
【００６９】
（第１の実施の形態）
10  掃除具
20  モップ              21  収縮口
30  取付部              40  柄部
50  ケース体
51  開口部              52  嵌合部
60  本体部              61  収容部
62  くびれ部            63  ガイドレール
70  柄保持部            71  凹部
72  係止部              73  幅狭部
80  ケース蓋            81  突縁部
90  柄本体              91  ガイド溝
92  凸部                92a  テーパー面
93  スリット
100  キャップ部         101  キャップ蓋
（第２の実施の形態）
200  柄部               210  柄本体
211  凸部               212  スリット
220  キャップ部
（第３の実施の形態）
300  柄部               310  柄本体
311  凸部               312  スリット
312  弾性片             320  キャップ部
（第４の実施の形態）
400  柄部               410  柄本体
411  凸部               412  スリット
420  キャップ部         430  キャップ軸
（第５の実施の形態）
500  取付部
510  本体部             511  収容部
512  くびれ部           513  ガイドレール
520  ケース蓋
521  貫通孔             523  突起
530  柄保持部           531  凹部
532  つば部             533  孔部
（第６の実施の形態）
600  柄部               610  柄本体
611  凸部               612  スリット
620  キャップ部
（第７の実施の形態）
700  柄部               710  柄本体
711  凸部               712  スリット
720  キャップ部
【図１】
2013119010.tif 000003
【図２】
2013119010.tif 000004
【図３】
2013119010.tif 000005
【図４】
2013119010.tif 000006
【図５】
2013119010.tif 000007
【図６】
2013119010.tif 000008
【図７】
2013119010.tif 000009
【図８】
2013119010.tif 000010
【図９】
2013119010.tif 000011
【図１０】
2013119010.tif 000012
【図１１】
2013119010.tif 000013
【図１２】
2013119010.tif 000014
【図１３】
2013119010.tif 000015
【図１４】
2013119010.tif 000016
【図１５】
2013119010.tif 000017